(57)【特許請求の範囲】
【請求項１】
ビデオ・ピクチャの画素に相当する複数の発光エレメントを有する表示装置上の表示用ビデオ・ピクチャ・データを処理する方法であって、前記発光エレメントは列及び行に編成され、ビデオ・フレーム又はフィールドの時間は、複数のサブフィールドに分割され、前記サブフィールド中、発光するよう前記発光エレメントを起動させることが可能であり、サブフィールド符号語は、サブフィールド符号語の相当ビットが「オン」状態を有するサブフィールド中、各発光エレメントが起動されるように「オフ」状態又は「オン」状態を各ビットが有し得る画素値を符号化するのに用いる前記複数のサブフィールドに相当し、
表示する対象の前記ピクチャの各画素値を少なくとも第１の分離画素値及び第２の分離画素値に分離する分離工程であって、各分離値が、前記複数のサブフィールドのうちのサブフィールド群に関連付けられる分離工程と、
各分離画素値Vに、V=(1-L)×V1+L×V2（V1＜V2及びL∈[0,1]）であるような関連付けられたサブフィールド群によって符号化することが可能な別々の２つの画素値V1及びV2間のディザリングを行うのに用いる一ディザリング・レベルLを関連付ける空間ディザリング工程と、
前記画素値V1及びV2をサブフィールド符号語に符号化する符号化工程であって、前記サブフィールド符号語の各ビットがビット状態を有する符号化工程とを備え、
前記分離画素値及び前記ディザリング・レベルは、前記画素値V１の前記サブフィールド符号語、及び前記第１の分離画素値に関連付けられた前記画素値V2の前記サブフィールド符号語において別の状態を有するビットの数と、前記画素値V１の前記サブフィールド符号語、及び前記第２の分離画素値に関連付けられた前記画素値V2の前記サブフィールド符号語において別の状態を有するビットの数との和が第１の閾値以上の場合、各分離画素値のディザリング・レベルと、ディザリング・レベル1/2との間の絶対差の和が、第２の閾値よりも大きくなるように選択されることを特徴とする方法。
【請求項２】
請求項１記載の方法であって、前記第２の閾値が1/4以上であることを特徴とする方法。
【請求項３】
請求項１記載の方法であって、前記第１の閾値がゼロであることを特徴とする方法。
【請求項４】
請求項１記載の方法であって、前記第１の閾値がゼロとは異なることを特徴とする方法。
【請求項５】
請求項１記載の方法であって、前記第２の閾値が1/2に等しいことを特徴とする方法。
【請求項６】
請求項１記載の方法であって、表示する対象の前記ピクチャの各画素値が２つの第１の分離画素値及び第２の分離画素値に分離され、前記第１の分離画素値及び第２の分離画素値はそれぞれ、第１のサブフィールド群及び第２のサブフィールド群に関連付けられることを特徴とする方法。
【請求項７】
請求項６記載の方法であって、前記第１の分離画素値のディザリング・レベルが1/2であり、前記第２の分離画素値のディザリング・レベルが1/2であるか、あるいは、前記第１の分離画素値のディザリング・レベルが0であり、前記第２の分離画素値のディザリング・レベルが1/2であるか、あるいは、前記第１の分離画素値及び前記第２の分離画素値のディザリング・レベルが1/2とは異なることを特徴とする方法。
【請求項８】
請求項１記載の方法であって、前記第１のサブフィールド群のサブフィールドの数が、前記第２のサブフィールド群のサブフィールドの数に実質的に等しいことを特徴とする方法。
【請求項９】
請求項６記載の方法であって、前記第１の画素値及び前記第２の画素値が実質的に等しいことを特徴とする方法。
【請求項１０】
ビデオ・ピクチャの画素に相当する複数の発光エレメントを有する表示装置上の表示用ビデオ・ピクチャ・データを処理する装置であって、前記発光エレメントは列及び行に編成され、ビデオ・フレーム又はフィールドの時間は、複数のサブフィールドに分割され、前記サブフィールド中、発光するよう前記発光エレメントを起動させることが可能であり、サブフィールド符号語は、サブフィールド符号語の相当ビットが「オン」状態を有するサブフィールド中、各発光エレメントが起動されるように「オフ」状態又は「オン」状態を各ビットが有し得る画素値を符号化するのに用いる前記複数のサブフィールドに相当し、
表示する対象の前記ピクチャの各画素値を少なくとも第１の分離画素値及び第２の分離画素値に分離する分離手段であって、各分離値が、前記複数のサブフィールドのうちのサブフィールド群に関連付けられる分離手段と、
各分離画素値Vに、V=(1-L)×V1+L×V2（V1＜V2及びL∈[0,1]）であるような関連付けられたサブフィールド群によって符号化することが可能な別々の２つの画素値V1及びV2間のディザリングを行うのに用いる一ディザリング・レベルLを関連付ける空間ディザリング手段と、
前記画素値V1及びV2をサブフィールド符号語に符号化する符号化手段であって、前記サブフィールド符号語の各ビットがビット状態を有する符号化手段とを備え、
前記画素値V１の前記サブフィールド符号語、及び前記第１の分離画素値に関連付けられた前記画素値V2の前記サブフィールド符号語において別の状態を有するビットの数と、前記画素値V１の前記サブフィールド符号語、及び前記第２の分離画素値に関連付けられた前記画素値V2の前記サブフィールド符号語において別の状態を有するビットの数との和が第１の閾値以上の場合、各分離画素値のディザリング・レベルと、ディザリング・レベル1/2との間の絶対差の和は、第２の閾値よりも大きくなるように前記分離手段及び前記空間ディザリング手段が制御されることを特徴とする装置。
【発明の詳細な説明】
【技術分野】
【０００１】
本発明は、ビデオ・ピクチャの画素に相当する複数の発光エレメントを有する表示装置上の表示用ビデオ・ピクチャ・データを処理する方法に関する。発光エレメントは、列及び行に編成される。ビデオ・フレーム又はフィールドの時間は、複数のサブフィールドに分割される。サブフィールド中、発光エレメントを、発光するよう起動させることが可能である。サブフィールド符号語は、サブフィールド符号語の相当ビットが「オン」状態を有するサブフィールド中、各発光エレメントが起動されるように「オフ」状態又は「オン」状態を各ビットが有し得る画素値を符号化するのに用いる複数のサブフィールドに相当する。
【０００２】
本発明は、発光のデューティ・サイクル変調（パルス幅変調）の原理に基づいており、少なくともデータ・ドライバを備えるあらゆる種類の表示装置に関する。
【背景技術】
【０００３】
図１は、以降PDPと呼ぶプラズマ・ディスプレイ・パネルの実際の構造を示す。ビデオが、PDPコントローラを含むディジタル・ボード10に送出される。このコントローラは、全てのＰＤＰ関連信号処理を担い、ビデオ情報をサブフィールド情報に変換する集積回路（ＩＣ）である。このコントローラは、ＰＤＰのデータ・ドライバ１１、ライン・ドライバ１２及び共通部１３に電力信号全てを送出する役割を果たす。ライン・ドライバ１２は、書き込む対象のセルの行を１つずつ選択する役割を果たす。データ・ドライバ１１は、現行選択行のセル全ての垂直方向の電極上のビット（0又は1）を送出する役割を果たす。最後に、共通部１３は、ライン・ドライバ１２との組み合わせで大局信号（維持信号、消去信号、プライミング信号のような信号）を生成する役割を果たす。PDPセルは、データ・ドライバ出力から来る垂直方向の電極と、ライン・ドライバ出力から来る水平方向の電極と、共通部から来る水平方向の電極との間の交点に存在している。
【０００４】
図２に示すように、各データ・ドライバ１１は、シリアル・パラレル変換器として作用する。n個の出力を備えたデータ・ドライバの場合、行tに対する、n個のデータ・サンプルCn,tが、PDPコントローラ１０からデータ・ドライバに直列に送出される。入力は、クロック回路によって規定される周波数で作用する。イネーブル信号ENAの各開始エッジ上で、データ・ドライバのn個の出力は、最後のn個の入力値を呈する。実際に、データCn,tがデータ・ドライバの入力に送出されると、出力は値Cn,t-1を呈する。イネーブル信号は、現行の行t-1を起動させるのに用いるアドレス指定信号に含まれる。重要な点は、入力信号が制御論理信号（低電圧）である一方、出力信号が電力信号（高電圧=60V）であるという点である。データ・ドライバの大局的な動作は、２つの主要パラメータによって規定される。
【０００５】
データ・ドライバのローディング中にドライバの入力で生起する変動の数、及び
1つの行から別の行までにドライバの出力で生起する変動の数。
【０００６】
これらの変動がどのようにして生起するかをみることも重要である。実際に、出力全てが同じ値を有しており、同時に変動する場合、各出力が異なり、変動している場合よりも消費エネルギが少ない。
【０００７】
その場合、こうした前提全てに基づけば、以降、格子パターンと呼ぶクリティカル・テスト・パターンを、図３に示すようにドライバ毎に規定することが可能である。この格子パターンは、0と1との間を常に切り替わっているビット列であり、データ・ドライバの過熱を、とりわけ、アドレス指定速度が高い（clk及びENAが高い）場合（高解像度ディスプレイのような場合）にもたらす。データ・ドライバを長時間（多くのフレーム）、過熱した場合、確実に損傷を受け得る。更に、今日では、データ・ドライバはPDPガラス上に接着剤で接合されているので、交換を行うために取り除くのはほとんど不可能である。よって、データ・ドライバが損傷を受けた場合、パネル全てが廃棄され得る。
【０００８】
今日、前述の問題点がないようにするうえで主に３つの可能性が存在している。
【０００９】
アドレス指定速度、又はフレーム毎に用いるサブフィールドの数を制限する。
【００１０】
（符号語内の切替えを削減して）標準ピクチャの場合の図３に表す状況を少なくする特定の符号化を用いる。
【００１１】
クリティカル・パターンを検出し、そのアドレス指定中に用いるサブフィールドの数を削減する。
【００１２】
表示する対象のビデオ・ピクチャにおける格子パターンの検出を備える解決策も存在しているが、何れかのピクチャに施されるディザリング処理によってもたらされることもあり得るのでこの問題点は解決されていない。実際に、特許文献１及び特許文献２に記載されたセル・ベース・ディザリングの場合、レベルが1/2のディザリングの構造はまさに格子パターンである。前述のディザリングは以下の例によって例証する。この例では、サブフィールドは以下の重みを有する。1-2-3-5-8-13-18-26-39-57-83  以下の画素値を表示することが可能である。
【００１３】
0:00000000000
(…)
46:01011110000
56:10111101000
(…)
255:11111111111
ディザリングは、表示する対象のピクチャの各画素値Vに、V=(1-L)×V1+L×V2（V1＜V2及びL∈[0,1]）であるような特定サブフィールド組によって符号化することが可能な別々の２つの画素値V1、V2間のディザリングを行うのに用いるディザリング・レベルLを関連付けることから成る。画素値は、パネルの隣接セル（又は発光エレメント）の群によって、又は複数フレーム上の同じセルによって表示することが可能である。この場合、画素値V=51をレンダリングするために、レベルが1/2の空間ディザリング、及び画素値V1=46及びV2＝56を用いるものとする。よって、値５１の均一な階調をパネル全体上に表示するものとする場合、以下のピクチャ画素値が一フレーム中に表示される。
【００１４】
【表１】
0005160082.tif 000002
データ・ドライバに送出されるサブフィールド情報は、以下のテーブルによって表される。
【００１５】
第１のサブフィールド
【表２】
0005160082.tif 000003
【００１６】
第２のサブフィールド
【表３】
0005160082.tif 000004
【００１７】
第３のサブフィールド
【表４】
0005160082.tif 000005
【００１８】
第４、第５及び第６のサブフィールド
【表５】
0005160082.tif 000006
【００１９】
第７のサブフィールド
【表６】
0005160082.tif 000007
【００２０】
第８のサブフィールド
【表７】
0005160082.tif 000008
【００２１】
第９、第１０及び第１１のサブフィールド
【表８】
0005160082.tif 000009
上記テーブルにおいて分かり得るように、５つのサブフィールドが格子パターンを用いる。これは、標準ピクチャによっても、ディザリングが理由でデータ・ドライバ過熱の問題が起こり得ることを意味する。
【００２２】
尚、本発明関連の先行技術が記載されている特許文献３乃至５も参照のこと。
【特許文献１】国際公開第01/71702号パンフレット
【特許文献２】欧州特許第1267947号明細書
【特許文献３】米国特許第5777599号明細書
【特許文献４】米国特許第5216417号明細書
【特許文献５】欧州特許第0982708号明細書
【発明の開示】
【発明が解決しようとする課題】
【００２３】
本発明の目的は、ドライバの過熱を防ぐために格子パターンの数を削減する方法及び装置を開示することである。
【課題を解決するための手段】
【００２４】
本発明によれば、この目的は、隣接発光エレメントのサブフィールド符号語間のビット変動の数を制限する適切なディザリング・レベルを選択することによって解決される。
【００２５】
特に、本発明は、ビデオ・ピクチャの画素に相当する複数の発光エレメントを有する表示装置上の表示用ビデオ・ピクチャ・データを処理する方法に関する。発光エレメントは、列及び行に編成される。ビデオ・フレーム又はフィールドの時間は、複数のサブフィールドに分割される。サブフィールド中、発光エレメントを、発光するよう起動させることが可能である。サブフィールド符号語は、サブフィールド符号語の相当ビットが「オン」状態を有するサブフィールド中、各発光エレメントが起動されるように「オフ」状態又は「オン」状態を各ビットが有し得る画素値を符号化するのに用いる複数のサブフィールドに相当する。この方法は、
表示する対象のピクチャの各画素値を少なくとも第１の分離画素値及び第２の分離画素値に分離する分離工程であって、各分離値が、複数のサブフィールドのうちのサブフィールド群に関連付けられる分離工程と、
各分離画素値Vに、V=(1-L)×V1+L×V2（V1＜V2及びL∈[0,1]）であるような関連付けられたサブフィールド群によって符号化することが可能な別々の２つの画素値V1及びV2間のディザリングを行うのに用いる一ディザリング・レベルLを関連付ける空間ディザリング工程と、
画素値V1及びV2をサブフィールド符号語に符号化する符号化工程であって、サブフィールド符号語の各ビットがビット状態を有する符号化工程とを備える。
【００２６】
本発明によれば、分離画素値及びディザリング・レベルは、画素値V１のサブフィールド符号語、及び第１の分離画素値に関連付けられた画素値V2のサブフィールド符号語において別の状態を有するビットの数と、画素値V１のサブフィールド符号語、及び第２の分離画素値に関連付けられた画素値V2のサブフィールド符号語において別の状態を有するビットの数との和が第１の閾値以上の場合、各分離画素値のディザリング・レベルと1/2との間の絶対差の和は、第２の閾値よりも大きくなる。よって、特に、サブフィールド符号語における別々の状態の合計数（画素値V１のサブフィールド符号語、及び第１の分離画素値に関連付けられた画素値V2のサブフィールド符号語において別の状態を有するビットの数と、画素値V１のサブフィールド符号語、及び第２の分離画素値に関連付けられた画素値V2のサブフィールド符号語において別の状態を有するビットの数との和）が大きい場合に、ディザリング・レベルが同時に1/2に近い状態がないように分離値及びディザリング・レベルが選択される。
【００２７】
好ましくは、第２の閾値は、1/4以上である。値が1/4未満の場合、本発明の利点は大きくないことになる。好ましくは、第２の閾値は1/2に等しい。
【００２８】
好ましい実施例では、第１の閾値は0に等しい。よって、画素値全てについて、各分離画素値のディザリング・レベルと1/2との間の絶対差の和が第２の閾値よりも大きくなるように分離画素値及びディザリング・レベルが選択される。これは、ピーク電流のみならず、データ・ドライバ電流を平均で削減することを目的とする。
【００２９】
他の実施例では、第１の閾値は、例えば、ドライバ回路におけるピーク電流のみを削減するために、0とは異なる値を選ぶことが可能である。
【００３０】
本発明の方法は、並列ピーク符号化（PPC）と呼ばれる特定の符号化に特に形成される。PPCでは、  
表示する対象のピクチャの各画素値は、２つの第１の分離画素値及び第２の分離画素値に分離され、第１の分離値及び第２の分離値(a,b)はそれぞれ、第１のサブフィールド群及び第２のサブフィールド群に関連付けられ、
第１のサブフィールド群のサブフィールドの数は、第２のサブフィールド群のサブフィールドの数に実質的に等しく、
第１の画素値及び第２の画素値は実質的に等しい。
【００３１】
この符号化によれば、ディザリング・レベルは以下のように選択される。
【００３２】
第１分離画素値のディザリング・レベルが1/2であり、第２の分離画素値のディザリング・レベルが0であるか、あるいは、  
第1分離画素値のディザリング・レベルが0であり、第２の分離画素値のディザリング・レベルが1/2であるか、あるいは、  
第1分離画素値のディザリング・レベル、及び第２の分離画素値のディザリング・レベルが1/2とは異なる。
【００３３】
本発明は、ビデオ・ピクチャの画素に相当する複数の発光エレメントを有する表示装置上の表示用ビデオ・ピクチャ・データを処理する装置にも関する。発光エレメントは、列及び行に編成される。ビデオ・フレーム又はフィールドの時間は、複数のサブフィールドに分割される。サブフィールド中、発光エレメントを、発光するよう起動させることが可能である。サブフィールド符号語は、サブフィールド符号語の相当ビットが「オン」状態を有するサブフィールド中、各発光エレメントが起動されるように「オフ」状態又は「オン」状態を各ビットが有し得る画素値を符号化するのに用いる複数のサブフィールドに相当する。装置は、
表示する対象のピクチャの各画素値を少なくとも第１の分離画素値及び第２の分離画素値に分離する分離手段であって、各分離値が、複数のサブフィールドのうちのサブフィールド群に関連付けられる分離手段と、
各分離画素値Vに、V=(1-L)×V1+L×V2（V1＜V2及びL∈[0,1]）であるような関連付けられたサブフィールド群によって符号化することが可能な別々の２つの画素値V1及びV2間のディザリングを行うのに用いる一ディザリング・レベルLを関連付ける空間ディザリング手段と、
画素値V1及びV2をサブフィールド符号語に符号化する符号化手段であって、サブフィールド符号語の各ビットがビット状態を有する符号化手段とを備える。
【００３４】
この装置では、画素値V１のサブフィールド符号語、及び第１の分離画素値に関連付けられた画素値V2のサブフィールド符号語において別の状態を有するビットの数と、画素値V１のサブフィールド符号語、及び第２の分離画素値に関連付けられた画素値V2のサブフィールド符号語において別の状態を有するビットの数との和が第１の閾値以上の場合、各分離画素値のディザリング・レベルと1/2との間の絶対差の和は、第２の閾値よりも大きくなるように分離手段及び空間ディザリング手段が制御される。
【発明を実施するための最良の形態】
【００３５】
本発明の例示的な実施例を添付図面に示し、より詳細に以下の記載で説明する。
【実施例】
【００３６】
本発明の方法は、各画素値を複数の分離画素値に分離することによって、かつ、適切な画素値、及びこうした画素値に適切なディザリング・レベルを選択することによって格子パターンの数を削減することを提案している。
【００３７】
ディザリング・レベル毎に同等格子パターン数（ENCP）を規定することが可能である。１つのサブフィールド上の、1/2のディザリング・レベルは、１つの格子パターン（ENCP=1）に相当する（すなわち、５つの隣接セル(01010又は10101)をみれば、４つの遷移（0から1、又は1から0）が存在している）。1/4又は3/4のディザリング・レベルの場合、５つの隣接セル(00010又は11101)をみれば、２つの遷移しか存在していないので、これは、半格子パターン（ENCP=０．５）に同等になる。1/8、3/8、5/8及び7/8のディザリング・レベルは、格子パターンの1/4（ENCP=0.25）に相当する。図４は、ディザリング・レベル毎の格子パターンの同等数を示す。
【００３８】
前述の通り、サブフィールド組の少なくとも１つのサブフィールド上の格子パターンの数を削減することを提案している。サブフィールド組が２つのサブフィールド群に分割され、格子パターンの数は、２つの群のうちの少なくとも１つにおいて削減される。
【００３９】
本発明は、実質的に同数のサブフィールドを有する２つのサブフィールド群を用いており、ドライバ回路の過熱が大きな問題である並列ピーク符号化（PPC）と呼ばれる特定の符号化を参照して説明するものとする。よって、この符号化の原理をまず説明し、次いで、本発明の方法を説明する。
【００４０】
並列ピーク符号化の一般的な考え方は、２つの光パケットにおいてほぼ常に同様なエネルギを有し、サブフィールド符号語における変動が２つのパケット符号語に同時に生起しないように、これらの２つのパケットの符号語を違ったふうに符号化することである。この符号化は、とりわけ、何れかの数のサブフィールドによって偽輪郭作用を削減するのに用いられる。１５個のサブフィールドによる並列ピーク符号化によって示す。以下の重みを有する１５個のサブフィールドを備えるフレームを考えてみる。
【００４１】
1  −  2  −  3  −  5  −  7  −  9  −  11  −  14  −  17  −  20  −  24  −  28  −  33  −  38  −  43
並列ピーク符号化では、これらのサブフィールドは、連続した２つの群に編成される。サブフィールド符号語の一部が各群に割り当てられる。これらの２つのサブフィールド群は、２つの光パケットを生成するのに用いられる。表示する対象の画素値はよって２つの分離画素値に分離される。一方の分離画素値は第１のサブフィールド群によって表示され、他方の分離値は、第２のサブフィールド群によって表示される。
【００４２】
例えば、奇数サブフィールドは、G1と呼ばれる第１の群においてグループ化され、偶数サブフィールドは、G2と呼ばれる第２の群においてグループ化される。
【００４３】
G1:1  −  3  −  7  −  11  −  17  −  24  −  33  −  43
G2:2  −  5  −  9  −  14  −  20  −  28  −  38
当然、２つの群の間のサブフィールドの分散は、違ったふうに行うことが可能である。唯一の条件は、２つの群が、異なる重みのサブフィールドを備えていることを要することである。更に、群G1のサブフィールドを、群G2のサブフィールド前後に配置することが可能である。
【００４４】
更に、別の符号化を、サブフィールド群毎に選択する。例えば、以下の符号化テーブルを用いることが可能である。
【００４５】
群G1（1  −  3  −  7  −  11  −  17  −  24  −  33  −  43）の場合
【００４６】
【表９】
0005160082.tif 000010
0005160082.tif 000011
群G2（2  −  5  −  9  −  14  −  20  −  28  −  38）の場合
【００４７】
【表１０】
0005160082.tif 000012
画素値全てを達成することが可能な訳でない。よって、欠けている画素値は、ディザリング工程によって、利用可能な値から表される。独立した２つのディザリング・ブロックを、前述の２つの光パケットの２つの符号に用いることが可能である。
【００４８】
２つの光パケットによって表示される対象の２つの分離画素値を判定するやり方を以下に表す。iが入力画素値を表し、aが、第１のサブフィールド群G1に割り当てられた分離画素値を表し、bが、第２のサブフィールド群G2に割り当てられた分離画素値を表す場合、値a及びbを以下にように計算することが可能である。
【００４９】
0≦i≦1の場合、a=iであり、b=0である。
【００５０】
1≦i≦2の場合、a=1であり、b=i−1である。
【００５１】
2≦i≦232の場合、a=i/2であり、b=i/2である（232=2×116）。
【００５２】
232≦i≦255の場合、a=i−116であり、b=116である。
【００５３】
PPCでは、同じ光エネルギが、前述の２つの光パケット中に放出される。この例では、２と２３２との間のレベル全てについて、この値の半分は第１のピークによって表され、第２の半分は第２のピークによって表される。よって、入力画素値１４０の場合、２つのピークはレベル７０を表すはずである。これらのピークは、前述のサブフィールド群によってこのレベルは利用可能でないので、レンダリングにはディザリングが必要である。第１のピークは、画素値６９(10111010)及び７１（01111010）を用いたディザリング・レベル1/2を用いる。第２のピークは、画素値６９(1101110)及び７１（0011110）を用いたディザリング・レベル1/2を用いる。入力が、均一の階調７０の場合、第１の分離画素値の符号は２つのサブフィールド上に格子パターンを表示する一方、第２の分離画素値の符号は３つのサブフィールド上に格子パターンを表示するので、合計5つのサブフィールドが格子パターンを用いる。このことは、データ・ドライバが過熱し得ることを表す。
【００５４】
２つのピークが並列に作用するので、２つの画素値間のサブフィールド・ビットの変動の数は、１つのピークのみが作用する場合（伝統的な符号）の2倍であり得る。2未満、232超の入力レベルの場合、２つのピークが並列に作用しないので、サブフィールド・ビット変動の数は最小になる。
【００５５】
図５は、前述のような並列ピーク符号化の、２と２３２との間の画素値毎の格子パターンの同等数を示す。画素値の格子パターンの同等数は、そのサブフィールド全てについて規定されるENCPの和である。並列ピーク符号化を用いることによって表示される別々の画素値の格子パターンの同等数が、一部の画素値の場合、かなり高く（３又は４より高く）なり得ることが分かる。
【００５６】
１つのピークでは、ディザリングに用いる２つの画素値間に最大４つのサブフィールド・ビット変動が存在している。しかし、２つのピークが並列に作用するので、こうしたサブフィールド・ビット変動は合算される。ディザリング・レベルが２つのピーク上で1/2に近い場合、ビット変動の数は、対象画素値に対して最大であり、６又は７に達し得る。
【００５７】
本発明の方法は、適切な分離画素値及びディザリング・レベルを選択して、同等数の格子パターンを削減する工程から成る。本発明を、各分離画素値Vに、V=(1-L)×V1+L×V2（V1＜V2及びL∈[0,1]）であるような特定のサブフィールド群によって符号化することが可能な別々の２つの画素値V1及びV2間のディザリングを行うのに用いる一ディザリング・レベルLを関連付ける工程から成るディザリング工程について説明する。本発明によれば、分離画素値及びディザリング・レベルは、画素値V１のサブフィールド符号語、及び第１の分離画素値に関連付けられた画素値V2のサブフィールド符号語において別の状態を有するビットの数と、画素値V１のサブフィールド符号語、及び第２の分離画素値に関連付けられた画素値V2のサブフィールド符号語において別の状態を有するビットの数との和が第１の閾値以上の場合、各分離画素値のディザリング・レベルと1/2との間の絶対差の和が第２の閾値よりも大きくなるように分離画素値及びディザリング・レベルが選択される。  
よって、ENCPが最大である1/2に近いディザリング・レベルを２つ以上の分離画素値が同時に有する訳でないように分離画素値及びディザリング・レベルが選択される（図４を参照のこと）。
【００５８】
第２の閾値は効果的には1/4以上であり、好ましくは1/2に等しい。    
第１の閾値は好ましくは0に等しい。よって、ディザリング・レベルは、２つの分離画素値におけるビット変動数にかかわらず最適化される。
【００５９】
変形では、第１の閾値は、0よりも大きな値に増加させることが可能である。例えば、4に等しいものであり得る。よって、分離画素値及びディザリング・レベルの最適な選択は、２つの分離画素値におけるビット変動の数が４以上の場合にのみ行われることになる。
【００６０】
以下の説明では、第１の閾値は好ましくは0に等しい。
【００６１】
特定の実施例では、サブフィールド組を少なくとも２つのサブフィールド群に分離する工程、及び、前述のサブフィールド群に関連付けられた分離画素値に、1/2以外のディザリング・レベルを用いるか、又は、一方の分離画素値についてのみ1/2のディザリング・レベルを用い、他方の分離画素値について0（ディザリングなし）のディザリング・レベルを用いる工程から成る。
【００６２】
この並列ピーク符号化（PPC）の場合、２つの分離画素値のうちの１つにのみ1/2のディザリング・レベルを用いることか、又は、２つの分離画素値に、1/2以外のディザリング・レベルを用いることから成る。本発明の方法の目的は、各分離値のディザリング・レベルと1/2（ENCPが最大のディザリング・レベル）との間の絶対差の和を最大にすることである。
【００６３】
本発明の方法の解決策を次に、並列ピーク符号化（PPC）（すなわち、実質的に同一の２つの分離画素値(a及びb)、並びに実質的に同数のサブフィールドを有する２つのサブフィールド群（G１及びG2）について詳細に説明する。  
前述の通り、PPCの場合の本発明の方法は、２つの分離画素値のうちの１つにのみ1/2のディザリング・レベルを用いることか、又は、２つの分離画素値に、1/2以外のディザリング・レベルを用いることによることから成る。例えば、２つの分離画素値のうちの少なくとも１つについて0のディザリング・レベルを用いた基本画素値がまず規定される。一方の分離画素値がディザリング・レベル1/2を用いる場合、他方は、ディザリング・レベル0（ディザリングなし）を用いることを強いられる。よって、２つの分離画素値は、必ずしも厳密に同一でない一方、非常に近い。これらの基本画素値の場合、最大ENCPはその場合、0とは異なるディザリング・レベルを有する分離画素値のサブフィールド・ビット変動の数に等しい。  
より厳密には、各基本画素値は、第１のピーク中に表示される分離画素値aと、第２のピーク中に表示される分離画素値bとの組み合わせである。各分離画素値は、ディザリングなしの画素値、又はディザリング・レベル1/2を用いた画素値である。ディザリング・レベル1/2を用いた２つの分離画素値の組み合わせであり得るものでない。１つの新たな画素値から次の新たな画素値まで、第１の分離画素値（それぞれ、第２の分離画素値）は、ディザリング・レベルが0に等しい場合には変動しないか、又は、ディザリングを用いない符号から、ディザリング・レベル1/2を用いた符号に移るか、若しくはその逆に進み得る。
【００６４】
以下に、前述の１５個のサブフィールドについて設けた、以下一致PPCと呼ぶ新たな並列ピーク符号の例を表す。群G1又は群G2について前述した符号化テーブルにおける連続した２つの符号番号n及びn+1を考えれば、符号n1/2は、1/2のディザリング・レベルが符号nに割り当てられ、符号n1/2の画素値が、符号nの値の半分と符号n+1の値の半分との和に等しいことを意味する。
【００６５】
【表１１】
0005160082.tif 000013
0005160082.tif 000014
0005160082.tif 000015
欠けている画素値（２つの基本画素値間の画素値）は、これらの基本画素値の補間によって生成される。
【００６６】
欠けている画素値を補間した場合に２つのピークにおいて何が起きるかをみるのは興味深いものである。各補間画素値は、連続した２つの基本画素値（第１の値及び第２の値）間に配置される。これらの２つの基本画素値の特性（第１の分離画素値、及び／又は第２の分離画素値に、1/2ディザリングを用いるか、若しくはディザリングを用いないこと）によって、別々の２つのケースを規定することが可能である（他は全て、対称である）。
【００６７】
a)第１の基本画素値は、ディザリングを用いない一方の分離画素値（符号n）、及びやはりディザリングを用いない他方の分離画素値（符号p）を有しており、第２の基本画素値は、ディザリング・レベル1/2を用いる一方の分離画素値（符号n1/2）、及びディザリングを用いない他方の分離画素値（符号p）を有する。この場合、符号(n+p)及び符号(n1/2+p)に相当する画素値間の補間画素値は全て、１つの分離画素値にのみディザリングを用い、この分離画素値のディザリング・レベルは0と1との間に含まれる。
【００６８】
前述のテーブルにおける例として、補間画素値200は、第１の分離画素値のディザリング・レベルが1/3（=2/3×1/2）に等しい符号61、及び第２の分離画素値のディザリングなしの符号43によって生成される。ENCPはその場合、図４によれば、第１の分離画素値の場合、約0.66×3（3サブフィールド・ビット変動）であり、第２の分離画素値の場合、0である。大局ENCPはよって、約2である。
【００６９】
b)第１の基本画素値は、ディザリング・レベル1/2を用いる一方の分離画素値（符号n1/2）、及びディザリングを用いない他方の分離画素値（符号p）を有しており、第２の基本画素値は、ディザリングを用いない一方の分離画素値（符号(n+1)）、及びディザリング・レベル1/2を用いる他方の分離画素値（符号p1/2）を有する。この場合、符号(n1/2+p)及び符号((n+1)+p1/2)に相当する画素値間の補間画素値全てが、２つの分離画素値にディザリングを用いる。しかし、２つのディザリング・レベルは特定の意味合いでは、補数（２つのディザリング・レベルの差は常に1/2に等しくなる）になる。例えば、１つの画素値は、一方の分離画素値にディザリング・レベル3/4を用い、他方に1/4を用いる。符号nと符号(n+1)との間のサブフィールド・ビット変動の数が符号pと符号(p+1)との間のサブフィールド・ビット変動の数と同じ場合、符号(n1/2+p)及び符号((n+1)+p1/2)に相当する画素値間の画素値は全て、同じENCPを有することになる。すなわち、符号(n1/2+p)及び符号((n+1)+p1/2)に相当する画素値間の新たな２つの画素値間のENCPは、一方の分離画素値のENCPから他方の分離画素値のENCPになる。これは、ENCPが、２つの分離画素値の最大ENCP以下になることを意味する。
【００７０】
例として、補間ビデオ値１４０が、第１の分離画素値のディザリング・レベルが1/4の符号42、及び第２の分離画素値のディザリング・レベルが3/4の符号29によって生成される。ENCPは、図４によれば、第１の分離画素値の場合には約0.5×2（２つのサブフィールド・ビット変動）であり、第２の分離画素値の場合には約0.5×3（３つのサブフィールド・ビット変動）である。大局ENCPは、（第１の分離画素値に符号42  1/2が用いられ、第２の分離画素値に符号29  1/2が用いられる場合、5=1×2+1×3ではなく）約2.5である。
【００７１】
この一致PPCは標準的なPPC実施形態と互換状態に留まる。２つの分離画素値が実質的に同様なエネルギを有しているからである。修正されたルックアップ・テーブルのみが必要である。
【００７２】
ビデオ入力全てについて、第１の分離画素と第２の分離画素との間のパーティションを図６に示す。標準的なＰＰＣの場合、２つの曲線は、２と２３２との間の入力値全てについて同一になる。ここで、それらはわずかに異なっている。しかし、それらの差は非常に小さいので、ピクチャ品質は標準的なPPCと実質的に同じである。実際に、ピクチャ品質はわずかに良好である。２つの分離画素値のディザリング・レベルが概ね相補的であるからである。
【００７３】
ドライバ熱に関して、図７は、本発明の方法が適用された場合の、２と２３２との間の、ビデオ入力毎の格子パターンの同等数を示す。この図は、標準的なPPCに関する図５と比較するものとする。格子パターンの最大同等数はこの場合、４に削減される。
【００７４】
本発明の方法を並列ピーク符号化（サブフィールドが、実質的に同様な光エネルギを生成する２つのサブフィールド群に分割され、２つの分離画素値が実質的に等しい符号化）について説明した。上記方法は、サブフィールドが、異なる光エネルギを生成する3つ以上のサブフィールド群に分割され、画素値がよって、異なる3つ以上の分離画素値に分離される他の符号化に拡張することが可能である。
【００７５】
本発明の方法を実施する回路は、標準的なPPCを実施するのに用いる回路と同じである。ルックアップ・テーブルの内容のみが修正される。ドライバの熱の問題はよって、追加費用なしで、かつ品質の劣化なしで解決される。
【００７６】
図８には、前述のような、画素値をサブフィールド符号語に符号化するうえで考えられる回路実施形態の構成図を示す。例えばビデオ・デガンマ装置から入力される入力R、G、Bビデオ・データIN[9:0]は、分離画素値a及びbを入力ビデオ・データ毎に出力するのに用いる分離手段20に転送される。こうした手段は例えば、少なくとも２つのルックアップ・テーブル（LUT）（分離値毎に１つ）を備える。PPCの場合、２つのLUTが存在している（一方は分離画素値ａを供給し、他方は、分離画素値bを供給する）。分離画素値a（それぞれb）は次いで効果的には、前述のようなサブフィールド群G1（それぞれ、G2）によって符号化された値を必要に応じて生成するためにディザリング・ブロック２１（それぞれ３１）に送信される。ディザリングされた値は、相当するサブフィールド符号語を出力するために、サブフィールド符号化ブロック２２（それぞれ３２）に更に転送される。このサブフィールド符号語は、パネルのセルの発光期間を駆動させるためにディスプレイ・パネルによって用いられる。
【００７７】
フレーム周波数の２倍の一致並列ピーク符号を用いることも可能である。例えば、50Hzのビデオ入力を有する代わりに、１００Hzのビデオ入力を有し、フレームのパリティ（奇数又は偶数）によって、サブフィールドの第１の群又は第２の群（G1又はG2）及び対応する符号化テーブルを用いることも可能である。当然、ビデオ入力は100Hzに制限されるものでない。72Hz、75Hz、80Hz、85Hz、90Hzや、120Hzのような他の周波数に用いることも可能である。図９はこの可能性を示す。カウントは1ビット・カウンタ（各フレームで増やされる）である。その値(0又は1)によって、ビデオがサブフィールド群G1によって符号化され、符号化テーブルがこの第１の群に割り当てられるか（ケース0）、又は、ビデオがサブフィールド群G2によって符号化され、符号化テーブルがこの第２の群に割り当てられる（ケース1）。
【００７８】
本発明は、ドライバの過熱の問題が大きい並列ピーク符号化（PPC）について説明した。当然、本発明の方法の原理は、少なくとも２つのサブフィールド群を用いる他の符号化に拡張することが可能である。
【図面の簡単な説明】
【００７９】
【図１】プラズマ・ディスプレイ・パネルの電子構造全体を示す図である。
【図２】図１のプラズマ・ディスプレイ・パネルのデータ・ドライバの大局的な機能を示す図である。
【図３】データ・ドライバの過熱をもたらすクリティカル・データ・パターンを示す図である。
【図４】ディザリング・レベル毎の格子パターンの同等数を示す図である。
【図５】2と232との間の画素値毎の格子パターンの同等数を示す図である。
【図６】0と255との間の全画素値毎に第１のピークと第２のピークとの間のパーティションを示す図である。
【図７】本発明の方法が適用された場合の、0と255との間の画素値毎の格子パターンの同等数を示す図である。
【図８】本発明の方法の考えられる第１の回路の実施形態を示す構成図である。
【図９】本発明の方法の考えられる第２の回路の実施形態を示す構成図である。
【符号の説明】
【００８０】
10  PDP  ICコントローラ
11  データ・ドライバ
12  ライン・ドライバ
13  共通部
20  PPC分離
21  ディザリング
22  サブフィールド符号化
31  ディザリング
32  サブフィールド符号化
【図１】
0005160082.tif 000016
【図２】
0005160082.tif 000017
【図３】
0005160082.tif 000018
【図４】
0005160082.tif 000019
【図５】
0005160082.tif 000020
【図６】
0005160082.tif 000021
【図７】
0005160082.tif 000022
【図８】
0005160082.tif 000023
【図９】
0005160082.tif 000024